(57)【要約】【課題】累進屈折力レンズに必然的に生じる像の歪みやボケを減少させ、装用感を向上させることができる累進屈折力レンズを提供する。【解決手段】外面と内面の両面を累進面とする両面累進レンズとすると共に、外面の面加入度をマイナスとし、外面と内面の平均面屈折力分布が相似になるように累進面形状を設計する。【選択図】　　図５
2004004436.tif 000002
【特許請求の範囲】
【請求項１】
主に遠距離の物体を見る時に使用する遠用部と、主に近距離の物体を見る時に使用する近用部と、前記遠用部と前記近用部との間に連続的に度数が変化する累進帯とを備える累進屈折面を有する累進屈折力レンズにおいて、
物体側の屈折面を第１面、使用者側の屈折面を第２面としたとき、前記第１面及び第２面の両方が累進屈折面に形成され、
かつ、前記第１面の平均面屈折力が、前記遠用部から前記近用部にかけて連続的に減少していることを特徴とする累進屈折力レンズ。
但し、累進屈折面上のある点における平均面屈折力Ｐ（Ｄ）は、その点における曲率の最大値Ｃｍａｘ（１／ｍ）、曲率の最小値Ｃｍｉｎ（１／ｍ）と、累進屈折面より物体側にある媒質の屈折率Ｎ１と使用者側にある媒質の屈折率Ｎ２を用いて、
Ｐ＝（Ｎ２−Ｎ１）（Ｃｍａｘ＋Ｃｍｉｎ）／２
で定義される。
【請求項２】
請求項１記載の累進屈折力レンズにおいて、
前記第１面の前記遠用部中心における平均面屈折力ＰＦ１（Ｄ）と前記第１面の近用部中心における平均面屈折力ＰＮ１（Ｄ）の差を面加入度Ａ１（＝ＰＮ１−ＰＦ１）とし、
前記第１面の任意の点における平均面屈折力Ｐ１とＰＦ１との差をＡ１で割った値をＳ１とし、
Ｓ１＝（Ｐ１−ＰＦ１）／Ａ１
前記第２面の前記遠用部中心における平均面屈折力ＰＦ２（Ｄ）と前記第２面の前記近用部中心における平均面屈折力ＰＮ２（Ｄ）の差を面加入度Ａ２（ＰＮ２−ＰＦ２）とし、
前記第１面の点に対応する前記第２面上の点における平均面屈折力Ｐ２と前記ＰＦ２との差をＡ２で割った値をＳ２としたとき、
Ｓ２＝（Ｐ２−ＰＦ２）／Ａ２
レンズ面上の中心から４０ｍｍの範囲内で
│Ｓ１−Ｓ２│≦０．２５
であることを特徴とする累進屈折力レンズ。
【請求項３】
請求項１又は２記載の累進屈折力レンズにおいて、
前記第１面の前記遠用部中心における平均面屈折力をＰＦ１（Ｄ）、前記第１面の前記近用部中心における平均面屈折力をＰＮ１（Ｄ）とし、前記第１面の面加入度Ａ１をＡ１＝ＰＮ１−ＰＦ１とすると、
−ＰＦ１−１０．０＜Ａ１＜−０．２５（Ｄ）
であることを特徴とする累進屈折力レンズ。
【請求項４】
請求項１〜３いずれかに記載の累進屈折力レンズにおいて、前記第２面の前記遠用部中心点を通るレンズの光軸との平行線が、前記第１面の前記遠用部中心点を通るレンズの光軸との平行線に対し、同じ位置か又はフィッティングポイント寄りの位置にあり、
前記第２面の前記近用部中心点を通るレンズの光軸との平行線が、前記第１面の前記近用部中心点を通るレンズの光軸との平行線に対し、同じ位置か又はフィッティングポイント寄りの位置にあることを特徴とする累進屈折力レンズ。
【請求項５】
請求項１〜４いずれかに記載の累進屈折力レンズを玉型加工し、フレームに組み込んだことを特徴とする老視用眼鏡。
【請求項６】
主に遠距離の物体を見る時に使用する遠用部と、主に近距離の物体を見る時に使用する近用部と、前記遠用部と前記近用部との間に連続的に度数が変化する累進帯とを備える累進屈折面を有する累進屈折力レンズのレンズ面形状を下記（１）〜（３）の条件を満たすように設計することを特徴とする眼鏡レンズの設計方法。
（１）物体側の屈折面を第１面、使用者側の屈折面を第２面としたとき、レンズの両方の屈折面を前記累進屈折面として、前記第１面の面加入度Ａ１をマイナスとし、前記第２面の面加入度Ａ２をＡ２＝Ａｄｄ−Ａ１とする。但し、Ａｄｄはレンズの加入度数である。
（２）前記第２面の前記遠用部中心点を通るレンズの光軸との平行線が、前記第１面の前記遠用部中心点を通るレンズの光軸との平行線に対し、同じ位置か又はフィッティングポイント寄りの位置にする。
（３）前記第２面の前記近用部中心点を通るレンズの光軸との平行線が、前記第１面の前記近用部中心点を通るレンズの光軸との平行線に対し、同じ位置か又はフィッティングポイント寄りの位置にする。
【発明の詳細な説明】
【０００１】
【発明の属する技術分野】
本発明は、像の揺れ・歪みを改善し、光学性能を向上させた累進屈折力レンズ、それをフレームに組み込んだ老視用眼鏡及びレンズの設計方法に関する。
【０００２】
【従来の技術及び発明が解決しようとする課題】
主に遠距離の物体を見る時に使用する遠用部と、主に近距離の物体を見る時に使用する近用部と、遠用部と近用部との間に連続的に度数が変化する累進帯とを備える累進屈折面を有する累進屈折力レンズには、累進屈折面形状の設計に依らず、近用側方部に像の歪みやボケを生じる領域があり、使用者の装用感低下を招いていた。この光学的な欠陥は、累進屈折面を採用している以上必然的に生じるものであり、本質的にゼロにすることは困難である。従来からこの欠点を解消するために様々な取リ組みがなされてきている。
【０００３】
その一つとして、眼鏡レンズの外面側又は内面側のどちらか一方に設けられていた累進面を両側に設けることによって光学性能を向上させる両面累進レンズのアイデアが、ＷＯ９７／１９３８３と特開２０００−２４９９９２号公報に開示されている。
【０００４】
ＷＯ９７／１９３８３では、レンズの加入度をＡｄｄとした時、外面（第１面）の面加入度Ａ１が、
―（Ｌ・Ｎ／Ｔ）Ａｄｄ＜Ａ１＜Ａｄｄ
を満たす両面累進レンズについて記載されている。但し、Ｌは頂間距離、Ｎはレンズの屈折率、Ｔはレンズの中心厚である。しかし、ＷＯ９７／１９３８３では、両面累進レンズの概念を提案しているが、それぞれの累進面の設計内容については述べられていない。
【０００５】
特開２０００−２４９９９２号公報では、内面（第２面）がリグレッシブ面となる場合、つまり、内面の面加入度Ａ２が、Ａ２＜０となる場合について述べられている。この時、外面の面加入度Ａ１は、Ａｄｄ＜Ａ１となる。さらに、特開２０００−２４９９９２号公報では、外面のプログレッシブ面（面加入度Ａ１がプラス）をソフト設計、内面のリグレッシブ面をハード設計にすることによって、外面・内面で発生する非点収差を相殺し、レンズとしての収差量を低減させるアイデアが開示されている。
【０００６】
しかし、本発明者が詳細に検討したところ、このレンズ構成では、装用感の良い眼鏡レンズは得られないことが判明した。即ち、非点収差が相殺される領域は、レンズ面の中の限られた範囲でしかなく、それ以外の領域では、片面累進面のレンズよりもむしろ大きな非点収差が残される。また、非点収差量の変化が大きいので、像の歪みも局所的に大きくなり、装用感を大きく損なう状態となってしまう。
【０００７】
本発明は、上記事情に鑑みてなされたもので、累進屈折力レンズに必然的に生じる像の歪みやボケを減少させ、装用感を向上させることができる累進屈折力レンズを提供することを目的とする。
【０００８】
また、本発明は、かかる累進屈折力レンズをフレームに組み込んだ老視用眼鏡を提供することを目的とする。
【０００９】
更に、本発明は、優れた装用感を有する累進屈折力レンズの設計方法を提供することを目的とする。
【００１０】
【課題を解決するための手段】
累進屈折力レンズの累進面は、古くは外面側に形成されていたが、その累進面を内面側に形成することによって、飛躍的に光学性能が向上することが判明した。この内面累進レンズの理論を応用し、さらに光学性能を向上させるために、本発明においては、外面と内面の両方に累進屈折面を形成した両面累進レンズとすると共に、外面の平均面屈折力を遠用部から近用部にかけて連続的に減少するように設定している。
【００１１】
このような両面累進レンズの外面の平均面屈折力の変化をマイナスとする、即ち外面の面加入度をマイナスとすることにより、近用部の倍率差を小さくして、歪みを減少させることができる。
【００１２】
また、レンズの両面に累進屈折面を設ける場合、両面の累進設計をほぼ同じとすることにより、不自然な揺れ・歪みが生じず光学性能が向上することを見い出した。
【００１３】
さらに、両面累進の効果を発揮するためには、外面の遠用部中心における平均面屈折力ＰＦ１（Ｄ）と、外面の近用部中心における平均面屈折力ＰＮ１（Ｄ）の差（Ａ１＝ＰＮ１−ＰＦ１）がある程度の大きさが必要であるし、又あまり差が有りすぎると、レンズの外観上好ましくない。このため、Ａ１の値が、−ＰＦ１−１０．０＜Ａ１＜−０．２５（Ｄ）　の範囲内にあることが好ましい。
【００１４】
また、両面累進レンズでは、外面と内面のそれぞれに累進屈折面が形成されるため、これらの累進屈折面の遠用部視野範囲相互、近用部視野範囲相互及び累進帯相互が重なって見えることによって装用感が向上する。そのため、レンズによる屈折を考慮して、内面の累進屈折面を外面の累進屈折面よりもフィッティングポイント寄りにすることが好ましい。
【００１５】
従って、請求項１記載の発明は、主に遠距離の物体を見る時に使用する遠用部と、主に近距離の物体を見る時に使用する近用部と、前記遠用部と前記近用部との間に連続的に度数が変化する累進帯とを備える累進屈折面を有する累進屈折力レンズにおいて、物体側の屈折面を第１面、使用者側の屈折面を第２面としたとき、前記第１面及び第２面の両方が累進屈折面に形成され、かつ、前記第１面の平均面屈折力が、前記遠用部から前記近用部にかけて連続的に減少していることを特徴とする累進屈折力レンズを提供する。但し、累進屈折面上のある点における平均面屈折力Ｐ（Ｄ）は、その点における曲率の最大値Ｃｍａｘ（１／ｍ）、曲率の最小値Ｃｍｉｎ（１／ｍ）と、累進屈折面より物体側にある媒質の屈折率Ｎ１と使用者側にある媒質の屈折率Ｎ２を用いて、Ｐ＝（Ｎ２−Ｎ１）（Ｃｍａｘ＋Ｃｍｉｎ）／２で定義される。
【００１６】
請求項２記載の発明は、請求項１記載の累進屈折力レンズにおいて、前記第１面の前記遠用部中心における平均面屈折力ＰＦ１（Ｄ）と前記第１面の近用部中心における平均面屈折力ＰＮ１（Ｄ）の差を面加入度Ａ１（＝ＰＮ１−ＰＦ１）とし、前記第１面の任意の点における平均面屈折力Ｐ１とＰＦ１との差をＡ１で割った値をＳ１とし、Ｓ１＝（Ｐ１−ＰＦ１）／Ａ１、前記第２面の前記遠用部中心における平均面屈折力ＰＦ２（Ｄ）と前記第２面の前記近用部中心における平均面屈折力ＰＮ２（Ｄ）の差を面加入度Ａ２（ＰＮ２−ＰＦ２）とし、前記第１面の点に対応する前記第２面上の点における平均面屈折力Ｐ２と前記ＰＦ２との差をＡ２で割った値をＳ２としたとき、Ｓ２＝（Ｐ２−ＰＦ２）／Ａ２、レンズ面上の中心から４０ｍｍの範囲内で│Ｓ１−Ｓ２│≦０．２５であることを特徴とする累進屈折力レンズを提供する。
【００１７】
請求項３記載の発明は、請求項１又は２記載の累進屈折力レンズにおいて、前記第１面の前記遠用部中心における平均面屈折力をＰＦ１（Ｄ）、前記第１面の前記近用部中心における平均面屈折力をＰＮ１（Ｄ）とし、前記第１面の面加入度Ａ１をＡ１＝ＰＮ１−ＰＦ１とすると、−ＰＦ１−１０．０＜Ａ１＜−０．２５（Ｄ）であることを特徴とする累進屈折力レンズを提供する。
【００１８】
請求項４記載の発明は、請求項１〜３いずれかに記載の累進屈折力レンズにおいて、前記第２面の前記遠用部中心点を通るレンズの光軸との平行線が、前記第１面の前記遠用部中心点を通るレンズの光軸との平行線に対し、同じ位置か又はフィッティングポイント寄りの位置にあり、前記第２面の前記近用部中心点を通るレンズの光軸との平行線が、前記第１面の前記近用部中心点を通るレンズの光軸との平行線に対し、同じ位置か又はフィッティングポイント寄りの位置にあることを特徴とする累進屈折力レンズを提供する。
【００１９】
請求項５記載の発明は、請求項１〜４いずれかに記載の累進屈折力レンズを玉型加工し、フレームに組み込んだことを特徴とする老視用眼鏡を提供する。
【００２０】
請求項６記載の発明は、主に遠距離の物体を見る時に使用する遠用部と、主に近距離の物体を見る時に使用する近用部と、前記遠用部と前記近用部との間に連続的に度数が変化する累進帯とを備える累進屈折面を有する累進屈折力レンズのレンズ面形状を下記（１）〜（３）の条件を満たすように設計することを特徴とする眼鏡レンズの設計方法を提供する。
【００２１】
（１）物体側の屈折面を第１面、使用者側の屈折面を第２面としたとき、レンズの両方の屈折面を前記累進屈折面として、前記第１面の面加入度Ａ１をマイナスとし、前記第２面の面加入度Ａ２をＡ２＝Ａｄｄ−Ａ１とする。但し、Ａｄｄはレンズの加入度数である。
（２）前記第２面の前記遠用部中心点を通るレンズの光軸との平行線が、前記第１面の前記遠用部中心点を通るレンズの光軸との平行線に対し、同じ位置か又はフィッティングポイント寄りの位置にする。
（３）前記第２面の前記近用部中心点を通るレンズの光軸との平行線が、前記第１面の前記近用部中心点を通るレンズの光軸との平行線に対し、同じ位置か又はフィッティングポイント寄りの位置にする。
【００２２】
【発明の実施の形態】
以下、本発明の実施の形態について説明するが、本発明は以下の実施の形態に限定されるものではない。
【００２３】
累進屈折力レンズは、主に遠距離の物体を見る時に使用する遠用部と、主に近距離の物体を見る時に使用する近用部と、遠用部と近用部との間に連続的に度数が変化する累進帯とを備える累進屈折面を有する。累進屈折力レンズには、外面（第１面）にのみ累進屈折面を設けた外面累進レンズ、内面（第２面）にのみ累進屈折面を設けた内面累進レンズ、外面と内面の両面に累進屈折面を設けた両面累進レンズの３種類が存在する。
【００２４】
かかる累進屈折力レンズでは、近用側方部に必然的に像の揺れ・歪みを生じる領域がある。これは、遠用部と近用部でレンズの度数が異なるために、見かけの像の大きさが異なることに起因している。像の歪みを抑えるためには、遠用部と近用部の像が、なるべく同じ大きさになれば良い。像の見かけの倍率（ＳＭ：Ｓｐｅｃｔａｃｌｅ　Ｍａｇｎｉｆｉｃａｔｉｏｎ）は、近軸量を使って次式で表される。
【００２５】
ＳＭ＝Ｍｓ×Ｍｐ　　　　　　　　　　・・・　　　（１）
Ｍｓ＝１／（１−ｔＤ／ｎ）　：シェイプファクタ−
Ｍｐ＝１／（１−ＬＰ）　　　：パワ−ファクタ−
ｔ：レンズの厚さ（ｍ）、　ｎ：屈折率、　Ｄ：外面の面屈折力（ディオプトリー：Ｄ）、　Ｌ：レンズから瞳までの距離（ｍ）、　Ｐ：レンズの度数（ディオプトリー：Ｄ）
【００２６】
遠用部の倍率と近用部の倍率を上式に従って計算し、その差を求めれば、側方部の歪みの程度が推察出来る。同じ度数、同じ加入度、ほぼ同じレンズ形状の外面累進レンズ、内面累進レンズ、両面累進レンズを比較した場合、遠用部と近用部のＭｐの差は、それぞれのレンズで皆同じである。これに対し、Ｍｓの値は、どの面に累進面が有るかによって、変わってくる。外面累進レンズでは、第１面（外面）の平均面屈折力が遠用部から近用部にかけて増加しているため、Ｍｓの値は、近用部で増加する。これに対し、内面累進レンズでは、第１面に球面を使用するため、平均面屈折力は遠用部でも近用部でも同じであり、Ｍｓの値も一定である。
【００２７】
本発明による両面累進レンズでは、第１面（外面）の平均面屈折力Ｐ（Ｄ）が、遠用部から近用部にかけて連続的に減少している（リグレッシブ面）。これとは逆に、第２面（内面）の平均面屈折力は、遠用部から近用部にかけて連続的に増加している（プログレッシブ面）。これにより、Ｍｓの値も減少する。従って、本発明の両面累進レンズは内面累進レンズよりもさらに揺れ・歪みを低減させ、光学性能を向上させることが出来る。
【００２８】
但し、累進曲面上のある点における平均面屈折力Ｐ（Ｄ）は、その点における曲率の最大値Ｃｍａｘ（１／ｍ）、曲率の最小値Ｃｍｉｎ（１／ｍ）と、曲面より物体側にある媒質の屈折率Ｎ１と使用者側にある媒質の屈折率Ｎ２を用いて、Ｐ＝（Ｎ２−Ｎ１）（Ｃｍａｘ＋Ｃｍｉｎ）／２で定義される。曲率は、その曲率中心が、面より使用者側に有る時に正、物体側に有る時に負の符号をとる。従って、眼鏡レンズがメニスカス形状をしている場合には、平均曲率（Ｃｍａｘ＋Ｃｍｉｎ）／２は、正の値となる。第１面であれば、面より物体側の媒質は空気なので、Ｎ１が１．０、Ｎ２がレンズ素材の屈折率になるので、Ｐの値は正になる。これに対し、第２面では、Ｎ１がレンズ素材の屈折率になり、Ｎ２が１．０になるので、Ｐの値は、負になる。
【００２９】
図１は、外面累進レンズ、内面累進レンズ、本発明の両面累進レンズのそれぞれの遠用部と近用部の倍率比を示すグラフである。本発明の両面累進レンズは、従来の外面累進レンズ・内面累進レンズよりも倍率差が小さく、歪みが少なくなっていることが認められる。
【００３０】
さらに、両面累進レンズの場合、第１面と第２面の両方に累進屈折面を形成するため、設計の自由度が高い。累進面設計が、装用感を左右する大きな要因である。累進面設計には、様々な要素が考えられるが、大きく分けると、明視域の広さを優先したハ−ド設計と歪みの低減を優先したソフト設計とがある。どの様な累進面設計が選択されるかは、使用者の好みや用途によって変わってくるが、両面累進レンズの場合、異なる性格の累進面設計を組み合わせると、非点収差や像の歪みが不自然になり、装用感が非常に悪くなることが判明した。特開２０００−２４９９９２号公報では、第１面と第２面で発生する非点収差を相殺させ、収差量を低減させる目的で、加入度の少ないハ−ド設計と加入度の大きいソフト設計を組み合わせている。しかし、この場合、累進面上の１点を考えれば非点収差は相殺されるのだが、それ以外の場所に大きな非点収差が残ってしまう。そして残った非点収差の分布は従来の累進レンズとは大きく異なるため、像の歪みも非常に不自然になる。しかも、明視域の広さは、加入度の大きいソフト設計面によって制限されてしまうため、同じ加入度数の従来設計の外面累進レンズよりも狭くなる。
【００３１】
このように両面累進レンズの場合、第１面と第２面の累進設計がなるべく相似している方が良い。そのためには、両方の面の平均面屈折力分布が相似している事が望ましい。具体的には、第１面の任意の点における平均面屈折力Ｐ１と遠用部中心における平均面屈折力ＰＦ１との差を第１面の加入度Ａ１で割った値をＳ１とし、同様に第１面の点に対応する第２面上の点における平均面屈折力Ｐ２と遠用部中心における平均面屈折力ＰＦ２との差を第２面の加入度Ａ２で割った値をＳ２とする。つまり、式で表現すると、Ｓ１＝（Ｐ１−ＰＦ１）／Ａ１、Ｓ２＝（Ｐ２−ＰＦ２）／Ａ２である。この時、累進面のタイプや面の加入度数に依らず、Ｓ１及びＳ２の値は、遠用中心点において０となり、近用中心点において１となり、それ以外の場所では、その間の値を取る。第１面と第２面の累進設計が相似しているためには、Ｓ１とＳ２の値が近い事が必要で、具体的には、レンズ中心から４０ｍｍの範囲内でＳ１とＳ２の差の絶対値│Ｓ１−Ｓ２│が０．２５以内、好ましくは０．１５以内、更に好ましくは０．１０以内、最も好ましくは０．０５以内であることが望ましい。
【００３２】
また、両面累進の効果を発揮するためには、外面の遠用部中心における平均面屈折力ＰＦ１（Ｄ）と、外面の近用部中心における平均面屈折力ＰＮ１（Ｄ）の差（Ａ１＝ＰＮ１−ＰＦ１）、即ち加入度がある程度の大きさが必要であるし、又あまり差が有りすぎると、レンズの外観上好ましくない。このため、加入度Ａ１の値が、
−ＰＦ１−１０．０＜Ａ１＜−０．２５（Ｄ）
の範囲内にあることが好ましい。
【００３３】
更に、両面累進レンズは、レンズの第１面と第２面の両方に累進屈折面が設けられていることから、これらの累進屈折面の遠用部視野範囲相互、近用部視野範囲相互及び累進帯相互が重なって見えることによって装用感が向上する。図２に示すように、フィッティングポイントＦＰから離れた点では、眼に入射する光線Ｌ１はレンズ１０の中を斜めに通過する。そのため、第１面１１と第２面１２の累進設計が近似している場合、光軸との平行線Ｌ２を基準にして両面の累進屈折面を設けると、第１面１１と第２面１２の累進屈折面の遠用部視野範囲相互、近用部視野範囲相互及び累進帯相互が光学的にずれてしまい、装用感が悪くなる。このため、第２面１２の遠用部中心点と近用部中心点ＮＰとを対向する第１面の遠用部中心点と近用部中心点に対して光線の傾きを考慮してフィッティングポイント寄りの位置の図示しない遠用部中心点と近用部中心点ＮＰ’に設けることが望ましい。
【００３４】
このような両面累進レンズのレンズ面形状の設計方法としては、次の（１）〜（３）の条件を満たすように設計することが好ましい。但し、下記（２）と（３）の順序は入れ替え可能である。
【００３５】
（１）物体側の屈折面を第１面、使用者側の屈折面を第２面としたとき、レンズの両方の屈折面を累進屈折面として、第１面の面加入度Ａ１をマイナスとし、第２面の面加入度Ａ２をＡ２＝Ａｄｄ−Ａ１とする。但し、Ａｄｄはレンズの加入度数である。
（２）第２面の遠用部中心点を通るレンズの光軸との平行線が、第１面の遠用部中心点を通るレンズの光軸との平行線に対し、同じ位置か又はフィッティングポイント寄りの位置にする。
（３）第２面の近用部中心点を通るレンズの光軸との平行線が、第１面の近用部中心点を通るレンズの光軸との平行線に対し、同じ位置か又はフィッティングポイント寄りの位置にする。
【００３６】
以下に実際の設計例を参照しながら本発明を説明する。ただし、この設計例はほんの一例に過ぎず、本発明がこの例に限定されるものでは無い。
【００３７】
【実施例】
球面度数０．０、乱視度数０．０、加入度２．０Ｄのレンズを、従来の方法と本発明による方法でそれぞれ構成した。実施例は、本発明に基づく両面累進レンズであり、第１面が面加入度−１．０Ｄであり、面平均屈折力が遠用部から近用部にかけて連続的に減少しているリグレッシブ累進面、第２面が面加入度＋３．０Ｄのプログレッシブ累進面である。従来例１は、従来の外面累進レンズであり、第１面が面加入度＋２．０Ｄの累進面、第２面が球面である。従来例２は、従来の内面累進レンズであり、第１面が球面、第２面が面加入度＋２．０Ｄの累進面である。従来例３は、特開２０００−２４９９９２号公報に基づく従来例の両面累進レンズであり、第１面が面加入度＋３．０Ｄのプログレッシブ累進面、第２面が面加入度−１．０Ｄのリグレッシブ累進面である。
【００３８】
実施例の両面累進レンズの第１面の面形状の座標値を図３に、第２面の面形状の座標値を図４にそれぞれ示す。面形状の座標軸は、第１面の最も凸になっている点を原点として光軸と直交する面の水平方向をｘ軸、垂直方向をｙ軸、光軸と平行なｚ軸であり、ｚ軸は眼球側がプラスになっている。
【００３９】
遠用部と近用部のそれぞれの像倍率を求め、それらの差を外面累進を基準にして改善率を求めた。また、最大収差量を求めた。更に、実施例と従来例３の│Ｓ１−Ｓ２│の最大値を求めた。結果を表１にまとめて示す。また、図５に、実施例の両面累進レンズの中心点から１０ｍｍ下の水平線上の第１面と第２面の平均面屈折力分布のグラフを示す。図６に、従来例３の両面累進レンズのレンズ中心から１０ｍｍ下の水平線上の第１面と第２面の平均面屈折力分布のグラフを示す。実施例の両面累進レンズの第１面の面収差分布を図７に、第２面の面収差分布を図８に、第１面と第２面の透過収差分布を図９に示す。従来例３の両面累進レンズの第１面の面収差分布を図１０に、第２面の面収差分布を図１１に、第１面と第２面の透過収差分布を図１２に示す。
【００４０】
【表１】
2004004436.tif 000003
【００４１】
遠用部と近用部の倍率の差は、実施例では、０．０２９３、従来例１では０．０３５０、従来例２では、０．０３１２、従来例３では、０．０３６９となっている。従来例１を基準にして、従来例２では、１０．９％の改善、実施例では、１６．２％の改善となっているが、従来例３では、５．４％の悪化となっている。これは、従来例３と実施例の両方とも両面累進レンズであるが、第１面の平均面屈折力の変化Ａ１が従来例３ではプラスであるのに対し、実施例ではマイナスであることが原因である。近用部の倍率差を小さくして、歪みを減少させるためには、第１面の平均面屈折力の変化がマイナスであることが必要である。
【００４２】
また、レンズを透して見た時の最大収差量は、実施例で２．４１Ｄ、従来例１で２．５２Ｄ、従来例２で２．４６Ｄと、同程度の量であるのに対し、従来例３では、３．５２Ｄと多くなっている。
【００４３】
図５に示すように、実施例の両面累進レンズの第１面のＳ１と第２面のＳ２とはほぼ一致し、│Ｓ１−Ｓ２│の最大値は０．０２である。このことから、第１面の累進屈折面と第２面の累進屈折面とは設計が近似していることが認められる。
【００４４】
また、図６に示すように、従来例３の両面累進レンズの│Ｓ１−Ｓ２│の最大値は０．２９である。第１面の累進屈折面と第２面の累進屈折面の設計が異なることが認められる。図１２に示した従来例３の透過収差図から、近用部の側方に不自然な収差領域が出来てしまうことが判る。これに対し、図９に示した実施例の透過収差図から、本発明の両面累進レンズは自然な収差分布になっていることが判る。不自然な収差分布が生じてしまう原因は、従来例３では、１面にソフト設計の累進面、２面にハ−ド設計の累進面を用いており、１面と２面の面収差分布が整合しておらず、うまく打ち消し合わない所が生じてしまうことにある。これを解決するためには、本発明の両面累進レンズのように、両面の平均面屈折力分布が相似していることが必要である。
【００４５】
【発明の効果】
本発明の累進屈折力レンズは、累進屈折力レンズに必然的に生じる像の歪みやボケを減少させ、装用感を向上させることができる。
【００４６】
本発明の老視用眼鏡は、かかる累進屈折力レンズを用いているため、装用感に優れる。
【００４７】
本発明のレンズの設計方法によれば、装用感に優れる両面累進レンズを設計することができる。
【図面の簡単な説明】
【図１】外面累進レンズ、内面累進レンズ、両面累進レンズのそれぞれの遠用部に対する近用部の倍率を示すグラフである。
【図２】眼鏡レンズによる屈折により外面と内面との間に光軸との平行線を基準にするとずれが生じることを説明する概念図である。
【図３】実施例の両面累進レンズの第１面の面形状を示す座標値である。
【図４】実施例の両面累進レンズの第２面の面形状を示す座標値である。
【図５】実施例の両面累進レンズの面平均屈折力の分布を示すグラフである。
【図６】従来例３の両面累進レンズの面平均屈折力の分布を示すグラフである。
【図７】実施例の両面累進レンズの第１面の面収差分布図である。
【図８】実施例の両面累進レンズの第２面の面収差分布図である。
【図９】実施例の両面累進レンズの透過収差分布図である。
【図１０】従来例３の両面累進レンズの第１面の面収差分布図である。
【図１１】従来例３の両面累進レンズの第２面の面収差分布図である。
【図１２】従来例３の両面累進レンズの透過収差分布図である。
【図１】
2004004436.tif 000004
【図２】
2004004436.tif 000005
【図３】
2004004436.tif 000006
【図４】
2004004436.tif 000007
【図５】
2004004436.tif 000008
【図６】
2004004436.tif 000009
【図７】
2004004436.tif 000010
【図８】
2004004436.tif 000011
【図９】
2004004436.tif 000012
【図１０】
2004004436.tif 000013
【図１１】
2004004436.tif 000014
【図１２】
2004004436.tif 000015